(57)【要約】【課題】被写体を撮影する際の被写体の被撮影部の視認性を向上させて、被撮影部を効率よく撮影することができるプローブを提供すること。【解決手段】診断プローブ部３０は、光源１１から照射されたレーザ光を、サンプルＳに照射する計測光と参照ミラー２１に照射する参照光とに分配し、サンプルＳから反射して戻ってきた散乱光と参照ミラー２１で反射した反射光とを合成させた干渉光を解析して光干渉断層画像を生成する光干渉断層画像生成装置１に使用され、計測光をサンプルＳに照射して反射して戻ってきた散乱光を回収する。診断プローブ部３０は、光路が設けられたハウジング３と、散乱光を回収する開口部３ｇ付近から被写体方向側に向けて延設され、被写体Ｓに当接させる支持体４と、を備えている。支持体４は、軸方向に並行して配設され開口部３ｇの内径ｄ１よりも幅ｗ１の小さい棒状の延設部４ａを有している。【選択図】図６
2014061089.tif 000002
【特許請求の範囲】
【請求項１】
光源から照射されたレーザ光を、被写体に照射する計測光と参照ミラーに照射する参照光とに分配し、
前記被写体から反射して戻ってきた散乱光と前記参照ミラーで反射した反射光とを合成させた干渉光を解析して光干渉断層画像を生成する光干渉断層画像生成装置に使用され、
前記計測光を前記被写体に照射して前記反射して戻ってきた散乱光を回収するプローブであって、
前記計測光及び前記散乱光の光路が設けられたハウジングと、
前記ハウジングの先端部に配置され、前記散乱光を回収する開口部付近から前記被写体方向側に向けて延設され、前記被写体に当接させる支持体と、を備え、
前記支持体は、軸方向に並行して配設され前記開口部の内径よりも幅の小さい棒状の延設部を有していることを特徴とするプローブ。
【請求項２】
前記支持体は、前記開口部に着脱可能に設けられていることを特徴とする請求項１に記載のプローブ。
【請求項３】
前記支持体の先端部には、前記計測光及び前記散乱光を反射する斜鏡が設けられていることを特徴とする請求項１または請求項２に記載のプローブ。
【請求項４】
前記斜鏡の先端側端部には、リング形状、略半円形状、略Ｃ字形状、略Ｕ字形状、あるいは、円弧形状に形成され、前記被写体に当接させて支持させるための固定具が設けられていることを特徴とする請求項３に記載のプローブ。
【請求項５】
前記固定具には、前記被写体に係止させる爪部が形成されていることを特徴とする請求項４に記載のプローブ。
【請求項６】
前記支持体には、当該支持体の長さを可変することが可能な可変機構が設けられていることを特徴とする請求項１ないし請求項５のいずれか一項に記載のプローブ。
【請求項７】
前記可変機構は、前記ハウジングの先端部に配置された係合筒部材と、
この係合筒部材と前記支持体との間に介在されて、前記支持体を先端側へ付勢する付勢手段と、
この付勢手段を伸縮自在に収納し、基端部側が前記係合筒部材に連結され、先端側が前記支持体を前後方向に所定距離だけ移動可能に支持した付勢手段収納体と、を備えたことを特徴とする請求項６に記載のプローブ。
【発明の詳細な説明】
【技術分野】
【０００１】
本発明は、例えば、光のコヒーレント（干渉性）を利用して物体内部の断層像を撮像する光干渉断層画像生成装置に使用されるプローブに関する。
【背景技術】
【０００２】
従来、光干渉断層画像生成装置（Optical Coherence Tomography：以下、ＯＣＴ装置と称する）は、生体の分野では、眼球の角膜や網膜の断層計測等の眼科医療で応用されている。ＯＣＴの方式は、ＴＤ（Time Domain）−ＯＣＴ、ＦＤ（Frequency Domain）−ＯＣＴに大別され、後者のＦＤ−ＯＣＴは、ＳＤ（Spectrum Domain）−ＯＣＴと、ＳＳ（Swept Source）−ＯＣＴとに分類されることが知られている。
【０００３】
例えば、ＳＳ−ＯＣＴは、波長（波数）を連続的に掃引できるレーザ光源を使用し、検出器により取得したスペクトル情報をＦＦＴ（Fast Fourier Transform）処理し、光路長を特定する方式である。ＳＳ−ＯＣＴは、Ｘ線撮影装置やＣＴ（Computed Tomography）装置等に比べ、解像度が高く、リアルタイムに計測が行える等の特徴がある。また、ＳＳ−ＯＣＴはＴＤ−ＯＣＴに比べて、高感度かつ高速にデータを取得できることから、モーションアーチファクト（体動によるゴースト）に強いという特徴がある。
【０００４】
歯科の分野のＯＣＴ装置では、歯科光診断装置用ハンドピース（プローブ）において、ＯＣＴ手段を備え、歯部の光診断箇所を位置決めする手段が、カメラによる撮像方式で、内部に、表面画像取得用の撮像カメラを備えている（例えば、特許文献１参照）。
【０００５】
前記特許文献１のプローブは、外部で生成された低コヒーレント光の信号光伝送用光ファイバの先端に設置された集光レンズと、集光レンズからの信号光を反射させる光スキャナ（ＭＥＭＳ（Micro Electro Mechanical Systems）ミラー）と、光スキャナを空間を介して覆うように配置された窓ガラス及びカバーと、を長い円筒状のハンドピース内の先端部の口腔内挿入部に集合させて設置して構成されている。
【０００６】
その他のプローブとしては、患者の口腔内の奥にある臼歯部を撮影する際に、プローブの先端部側面に信号光照射用窓がある臼歯部撮影専用プローブや、前歯部を撮影する前歯部撮影専用プローブが知られている（例えば、特許文献２参照）。
【０００７】
特許文献１，２に記載のプローブの先端部や、その他一般のプローブの先端部は、いずれも、先端に計測用窓を有し、円筒形状、半円筒形状あるいは角筒形状に形成されて、患者の口腔に挿入される口腔内挿入部が形成されている。
【先行技術文献】
【特許文献】
【０００８】
【特許文献１】特開２００７−８３００９号公報（請求項２，３、図２、段落００１５）
【特許文献２】特開２００４−３４７３８０号公報（図３、図２３〜図２９）
【発明の概要】
【発明が解決しようとする課題】
【０００９】
特許文献１，２等の一般のプローブは、いずれも、患者の前歯、臼歯等の口腔内組織を撮影する際に、ハウジングの先端部に形成された筒形状の口腔内挿入部の先端の計測用窓を口腔内組織に当接させた状態で撮影している。
【００１０】
しかしながら、患者の被撮影部（口腔内組織）を撮影する際、術者は、プローブの口腔内挿入部を患者の口腔内に挿入して計測用窓を被撮影部に当接させて撮影するので、患者の被撮影部を直視して視認するときに、筒形状の口腔内挿入部が被撮影部を覆ってしまうため、視認し難いという問題点があった。
【００１１】
また、プローブは、患者の口腔内に挿入して使用されることにより、口腔内に挿入した際に、雑菌等が付着することがあるので、使用後に口腔内挿入部等を洗浄したり、殺菌処理したりしている。
【００１２】
しかしながら、プローブは、口腔内挿入部を洗浄、殺菌処理する際、口腔内挿入部が筒形状に形成されているので、口腔内挿入部の内部や、口腔内挿入部内のミラーや、計測用窓に設けられた窓ガラス等を洗浄、殺菌処理が行い難いという問題点があった。
また、特許文献１，２のプローブの口腔内挿入部は、集光レンズ、光スキャナ、ミラー、窓ガラス等が内設されていることにより、内部構造が複雑化しているため、部品点数及び組付工数が多く、組付け難く、コストアップの要因になっていた。
【００１３】
そこで、本発明は、そのような問題を解消すべく発明されたものであって、被写体を撮影する際の被写体の被撮影部の視認性を向上させて、被撮影部を効率よく撮影することができるプローブを提供することを課題とする。
【課題を解決するための手段】
【００１４】
前記課題を解決するために、本発明に係るプローブは、光源から照射されたレーザ光を、被写体に照射する計測光と参照ミラーに照射する参照光とに分配し、前記被写体から反射して戻ってきた散乱光と前記参照ミラーで反射した反射光とを合成させた干渉光を解析して光干渉断層画像を生成する光干渉断層画像生成装置に使用され、前記計測光を前記被写体に照射して前記反射して戻ってきた散乱光を回収するプローブであって、前記計測光及び前記散乱光の光路が設けられたハウジングと、前記ハウジングの先端部に配置され、前記散乱光を回収する開口部付近から前記被写体方向側に向けて延設され、前記被写体に当接させる支持体と、を備え、前記支持体は、軸方向に並行して配設され前記開口部の内径よりも幅の小さい棒状の延設部を有していることを特徴とする。
【００１５】
かかる構成によれば、プローブは、ハウジングの開口部付近から被写体方向側に向けて延設され被写体に当接させる支持体が、軸方向に並行して配設され開口部の内径よりも幅の小さい棒状の延設部を有していることにより、術者が被写体を撮影する際、延設部の先端を前歯、臼歯等の被写体の被撮影部に当接させても、被撮影部が延設部によって隠れないため、視認し易く被写体を容易に撮影することができる。
このように、プローブは、被写体を撮影する際、計測光が照射される被撮影部が延設部によって視認し難くなることがないので、被写体の被撮影部を直視して視認しながら撮影できるため、被撮影部の視認性が向上されて効率よく撮影することができる。
また、プローブは、棒状の延設部を採用することにより、構造及び形状がシンプルであるため、プローブの先端部の口腔内に挿入する部位を洗浄、殺菌処理する際の作業が行い易い。
【００１６】
また、前記支持体は、前記開口部に着脱可能に設けられていることが好ましい。
【００１７】
かかる構成によれば、支持体は、ハウジングの開口部に着脱可能に設けられていることにより、洗浄、殺菌処理する際に、プローブから取り外して洗浄作業及び殺菌処理作業を行うことができるため、作業性を向上させることができると共に、プローブを容易に清潔にすることができる。
【００１８】
また、前記支持体の先端部には、前記計測光及び前記散乱光を反射する斜鏡が設けられていることが好ましい。
【００１９】
かかる構成によれば、支持体は、先端部に計測光及び散乱光を反射する斜鏡が設けられていることにより、プローブで臼歯等の被写体を撮影する際に、斜鏡の先端を被写体に当接させ、斜鏡で計測光及び散乱光を反射させることにより、その被写体を容易に撮影することができる。
【００２０】
また、前記斜鏡の先端側端部には、リング形状、略半円形状、略Ｃ字形状、略Ｕ字形状、あるいは、円弧形状に形成され、前記被写体に当接させて支持させるための固定具が設けられていることが好ましい。
【００２１】
かかる構成によれば、プローブは、斜鏡の先端側端部に、リング形状、略半円形状、略Ｃ字形状、略Ｕ字形状、あるいは、円弧形状の固定具が設けられていることによって、その固定具を被写体に当接させて支持させれば、斜鏡を被写体に安定した状態に固定して撮影することができる。特に、臼歯を撮影する場合、固定具を臼歯の被撮影部の周囲等に当接させて支持させることにより、プローブを安定した状態に支持させることがきるので、撮影作業を楽に行うことができる。
【００２２】
また、前記固定具には、前記被写体に係止させる爪部が形成されていることが好ましい。
【００２３】
かかる構成によれば、プローブは、固定具に爪部が形成されていることによって、撮影する際に、固定具を被写体の表面に当接させると共に、爪部を被写体の側面に当接するなどして係止させることができるため、支持体を安定した状態に被写体に支持させて、撮影することができる。
【００２４】
また、前記支持体には、当該支持体の長さを可変することが可能な可変機構が設けられていることが好ましい。
【００２５】
かかる構成によれば、プローブは、支持体に、この支持体の長さを可変することが可能な可変機構が設けられていることにより、支持体の先端を被写体に押し当てることよって、ハウジングに対する支持体の長さを可変させることができる。プローブは、このようにするなどして支持体の長さを可変することにより、ハウジングに内設された集光レンズの焦点位置を容易に調整することができる。
【００２６】
また、前記可変機構は、前記ハウジングの先端部に配置された係合筒部材と、この係合筒部材と前記支持体との間に介在されて、前記支持体を先端側へ付勢する付勢手段と、この付勢手段を伸縮自在に収納し、基端部側が前記係合筒部材に連結され、先端側が前記支持体を前後方向に所定距離だけ移動可能に支持した付勢手段収納体と、を備えていることが好ましい。
【００２７】
かかる構成によれば、プローブは、係合筒部材と支持体との間に介在され付勢手段を収納した付勢手段収納体を有することにより、被写体の撮影中に、支持体を被写体に押し付けると、付勢手段の伸縮に伴って支持体が可変するため、集光レンズの焦点位置を適宜な位置に調整することができる。
【発明の効果】
【００２８】
本発明によれば、被写体を撮影する際の被写体の被撮影部の視認性を向上させて、被撮影部を効率よく撮影することができるプローブを提供することができる。
【図面の簡単な説明】
【００２９】
【図１】本発明の実施形態に係るプローブが設けられた光干渉断層画像生成装置の外観図であって、（ａ）は単関節アーム型、（ｂ）は多関節アーム型をそれぞれ示す。
【図２】本発明の実施形態に係るプローブが設けられた光干渉断層画像生成装置のユニット構成を模式的に示す構成図である。
【図３】本発明の実施形態に係るプローブの斜視図である。
【図４】本発明の実施形態に係るプローブの中央部縦断面図である。
【図５】本発明の実施形態に係るプローブの分解斜視図である。
【図６】本発明の実施形態に係るプローブの支持体を取り外したときの状態を示す分解斜視図である。
【図７】本発明の実施形態に係るプローブの第１変形例を示す図であり、（ａ）が側視撮影用支持体の側面図、（ｂ）は側視撮影用支持体の拡大斜視図、（ｃ）は側視撮影用支持体の拡大中央縦断面図である。
【図８】本発明の実施形態に係るプローブの第２変形例を示す概念図であり、（ａ）は直視撮影用支持体の斜視図、（ｂ）は平常時の直視撮影用支持体を示す拡大縦断面図、（ｃ）は被写体を直視撮影用支持体で押圧しているときの状態を示す拡大縦断面図である。
【図９】本発明の実施形態に係るプローブの第３変形例を示す概念図である。
【図１０】本発明の実施形態に係るプローブの第３変形例を示す図であり、（ａ）は側視撮影用支持体の斜視図、（ｂ）は平常時の側視撮影用支持体を示す拡大縦断面図、（ｃ）は被写体を側視撮影用支持体で押圧しているときの状態を示す拡大縦断面図である。
【図１１】本発明の実施形態に係るプローブの第４変形例を示す図であり、（ａ）は平常時の直視撮影用支持体の状態を示す拡大縦断面図、（ｂ）は直視撮影用支持体を圧縮移動させたときの状態を示す拡大縦断面図である。
【図１２】本発明の実施形態に係るプローブの第５変形例を示す図であり、（ａ）は側視撮影用支持体の斜視図、（ｂ）は平常時の側視撮影用支持体の状態を示す拡大縦断面図、（ｃ）は側視撮影用支持体を圧縮移動させたときの状態を示す拡大縦断面図である。
【図１３】本発明の実施形態に係るプローブの第６変形例を示す図であり、（ａ）は直視撮影用支持体の斜視図、（ｂ）は平常時の直視撮影用支持体の状態を示す拡大縦断面図、（ｃ）は直視撮影用支持体を圧縮移動させたときの状態を示す拡大縦断面図である。
【図１４】本発明の実施形態に係るプローブの第７変形例を示す図であり、（ａ）は平常時の側視撮影用支持体の状態を示す拡大縦断面図、（ｂ）は側視撮影用支持体を圧縮移動させたときの状態を示す拡大縦断面図、（ｃ）は固定具の変形例を示す要部拡大斜視図である。
【図１５】本発明の実施形態に係るプローブの第８変形例を示す図であり、（ａ）は直視撮影用支持体の斜視図、（ｂ）は平常時の直視撮影用支持体の状態を示す拡大縦断面図、（ｃ）は直視撮影用支持体を圧縮移動させたときの状態を示す拡大縦断面図である。
【図１６】本発明の実施形態に係るプローブの第９変形例を示す図であり、（ａ）は平常時の側視撮影用支持体の状態を示す拡大縦断面図、（ｂ）は側視撮影用支持体を圧縮移動させたときの状態を示す拡大縦断面図、（ｃ）は固定具の変形例を示す要部拡大斜視図である。
【図１７】本発明の実施形態に係るプローブの第１０変形例を示す図であり、直視撮影用支持体を取り付けたプローブの斜視図である。
【図１８】本発明の実施形態に係るプローブの第１０変形例を示す図であり、直視撮影用支持体を取り付けハウジング半体を取り外したプローブの分解斜視図である。
【図１９】本発明の実施形態に係るプローブの第１０変形例を示す図であり、側視撮影用支持体を取り付けたプローブの分解斜視図である。
【発明を実施するための形態】
【００３０】
まず、図１〜図６を参照して本発明の実施形態に係るプローブを説明する。本発明のプローブを説明する前に、プローブが使用されるＯＣＴ装置１（光干渉断層画像生成装置）について説明する。
【００３１】
［ＯＣＴ装置の構成の概要］
図１及び図２に示すＯＣＴ装置１の構成の概要について、ＯＣＴ装置１によって撮影する被写体（前歯部Ｓａ）を、歯科患者の診断対象の歯牙（前歯部Ｓａ）である場合を例に挙げて説明する。ＯＣＴ装置１は、光学ユニット部１０（光学ユニット）と、診断プローブ部３０（プローブ）と、制御ユニット部５０（制御ユニット）と、を主に備える。
図２に示すように、ＯＣＴ装置１は、光源１１から照射されたレーザ光をサンプルＳに照射する計測光と、参照ミラー２１（レファレンスミラー）とに照射する参照光にカップラ１２（光分割器）で分配し、診断プローブ部３０で、計測光をサンプルＳに照射しサンプルＳの内部から散乱して戻って来た散乱光と、参照ミラー２１からの反射光と、をカップラ１６（光合波器）で合成させた干渉光を解析して、光干渉断層画像を生成する。
【００３２】
≪光学ユニット部≫
光学ユニット部１０は、一般的な光コヒーレンストモグラフィの各方式が適用可能な光源１１、光学系、検出部を備えている。図２に示すように、光学ユニット部１０は、サンプルＳに高帯域な波長のレーザ光を続けて（周期的に）照射する光源１１と、レーザ光をサンプルＳに照射する計測光と参照ミラー２１に照射する参照光に分配するカップラ１２と、計測光をサンプルＳに照射しサンプルＳの内部で散乱して戻って来た散乱光を受光する診断プローブ部３０と、参照光が参照ミラー２１から反射して戻って来た反射光と散乱光とを合成させて干渉光を生成するカップラ１６と、その干渉光からサンプルＳの内部情報を検出するディテクタ（検出器）２３と、光源１１とディテクタ２３との間の光路中に設けられた光ファイバ１９ｂ，６０Ａ（図４参照）やその他光学部品等を備えている。
【００３３】
ここで、光学ユニット部１０の概略を説明する。
光源１１から射出された光は、光分割器であるカップラ１２により計測光と参照光とに分けられる。計測光は、サンプルアーム１３のサーキュレータ１４から診断プローブ部３０に入射する。計測光は、診断プローブ部３０のシャッタ機構３１のシャッタ３１２（図５参照）が開状態において、コリメータレンズ３２、走査手段３３（二次元ＭＥＭＳミラー）を経て集光レンズ３４によってサンプルＳに集光され、そこで散乱、反射した後に再び集光レンズ３４、走査手段３３、コリメータレンズ３２を経てサンプルアーム１３のサーキュレータ１４に戻る。戻ってきた計測光の偏光成分は、偏光コントローラ１５によってより偏光の少ない状態に戻され、カップラ１６を介してディテクタ２３に入力される。
【００３４】
一方、光分割器用のカップラ１２で分離された参照光は、レファレンスアーム１７のサーキュレータ１８からコリメータレンズ１９、光路長変更手段２４を経て参照光集光レンズ２０によって参照ミラー２１に集光され、そこで反射した後に再び参照光集光レンズ２０、コリメータレンズ１９を経てサーキュレータ１８に戻る。戻ってきた参照光の偏光成分は、偏光コントローラ２２によってより偏光の少ない状態に戻され、光合波器用のカップラ１６を介してディテクタ２３に入力される。つまり、カップラ１６が、サンプルＳで散乱、反射して戻ってきた計測光と、参照ミラー２１で反射した反射光とを合波するので、合波により干渉した光をディテクタ２３がサンプルＳの内部情報として検出する。
【００３５】
光源１１としては、例えばＳＳ−ＯＣＴ方式用のレーザ光源を用いることができる。この場合、光源１１は、例えば、中心波長１３１０ｎｍ、掃引波長幅１００ｎｍ、掃引速度５０ｋＨｚ、可干渉距離（コヒーレント長）が１４ｍｍの性能のものが好ましい。ここで、可干渉距離とは、パワースペクトルの減衰が６ｄＢとなるときの距離に相当する。
【００３６】
図２に示すように、参照光のコリメータレンズ１９は、カップラ１２で分割された参照光を平行光に収束させるレンズであり、コリメータレンズユニットのコリメータ１９ｄの略円筒状のレンズホルダ１９ａ内に収容されている。
コリメータ１９ｄは、前記コリメータレンズ１９と、コリメータレンズ１９を内嵌した略円筒状のレンズホルダ１９ａと、レンズホルダ１９ａに取り付けられたコネクタ１９ｃと、一端がコネクタ１９ｃに接続され、他端がレンズホルダ１９ａとサーキュレータ１８とに接続された光ファイバ１９ｂと、を備えている。コリメータレンズ１９は、コリメータレンズ１９の光軸と光ファイバ１９ｂの光軸を合致させて、一定の距離を保った状態に設置されている。
【００３７】
図２に示すように、参照光の光路長変更手段２４は、コリメータ１９ｄを光軸方向に移動させて、カップラ１２から参照ミラー２１までの光路長を変更して光軸方向に位置を調整したり、光軸方向の位置を初期設定する際に使用する装置である。参照光の光路長変更手段２４は、例えば、コリメータ１９ｄが光軸に沿って手動式に進退可能に配置されたコリメータレンズユニットと、前記参照光集光レンズ２０と、前記参照ミラー２１と、光軸に沿って延設されてコリメータレンズユニット、参照光集光レンズ２０及び参照ミラー２１を支持する支持フレーム部材（図示省略）と、を備えて構成されている。
【００３８】
≪診断プローブ部≫
図２に示すように、診断プローブ部３０（プローブ）は、レーザ光を２次元走査する走査手段３３を含み、光学ユニット部１０からのレーザ光をサンプルＳに導くと共に、サンプルＳ内で散乱して反射した散乱光を受光して光学ユニット部１０に導くものである。診断プローブ部３０は、それぞれ後記するケーブル６０と、ハウジング３と、フレーム本体３００と、シャッタ機構３１と、コリメータレンズ３２と、走査手段３３と、集光レンズ３４と、集光点調整機構３５と、支持体４（図３参照）と、外環部材３８とを有する。
なお、本実施形態では、診断プローブ部３０の一例として直視撮影用支持体４Ａ（前歯用支持体）を備えたものを例に挙げて説明する。
【００３９】
ケーブル６０（図１参照）は、光学ユニット部１０に接続され、計測光及び散乱光を伝送する光ファイバ６０Ａ（図３参照）と、制御ユニット部５０に接続された通信線６０Ｂとを内蔵している。
【００４０】
撮影時には、術者は、診断プローブ部３０を単関節アーム７０のホルダ７１から外して把持し、手振れ防止等のための診断プローブ部３０の先端に設けた支持体４（図３参照）を患者の歯（サンプルＳ）に対して当接させる。このとき、術者の両手が塞がっていたとしても撮影開始の操作ボタンＳＷ（図４参照）を操作するために、制御ユニット部５０に有線または無線で通信可能に接続されたフットコントローラ８０（図１参照）を用いることもできる。
【００４１】
図１（ｂ）に示すＯＣＴ装置１Ａは、撮影中以外のときには、診断プローブ部３０を、ＯＣＴ装置１Ａの上部に配置された表示装置５４の上部側から水平方向に延伸した多関節アーム７０Ａの先端のホルダ７１に保持させておくことができるようにした点以外は、図１（ａ）に示すＯＣＴ装置１と同様な構成である。
【００４２】
＜ハウジング＞
図３に示すように、ハウジング３は、フレーム本体３００や診断プローブ部３０等の構成部品を内設したケース体であり、中央部を縦断面して左右に二分割されたハウジング半体３ｅ（一方を省略）を合致させてなる。ハウジング３は、側面視して略逆Ｌ字形状（略ピストル形状）に形成され、その内部に計測光及び散乱光の光路が設けられている。ハウジング３には、それぞれ後記する走査手段収納部３ａと、グリップ部３ｂと、集光レンズ収納部３ｃと、筒体支持部３ｄと、が形成されている。ハウジング３は、水平方向に向けて形成された集光レンズ収納部３ｃ及び筒体支持部３ｄに対して、グリップ部３ｂ及び走査手段収納部３ａが下方向に折曲した状態に形成されている。
【００４３】
ハウジング３には、このハウジング３内の略全体にフレーム本体３００が配置され、略中央部に走査手段３３が収納され、基端部側にケーブル６０、コリメータレンズ３２及びシャッタ機構３１が配置され、先端部側寄りに集光レンズ３４、先端に直視撮影用支持体４Ａ（支持体４）が着脱して交換可能に配置されている。
【００４４】
図４〜図６に示すように、走査手段収納部３ａは、略逆Ｌ字形状のハウジング３の略中央部（折曲部）内に配置され、走査手段３３を収納する部位である。走査手段収納部３ａ内には、走査手段３３であるチップ形状の二次元ＭＥＭＳミラーが、４５度に傾けて配置され、二次元ＭＥＭＳミラーでコリメータレンズ３２からのレーザ光が反射される。
グリップ部３ｂは、術者が手で診断プローブ部３０を持つ際に握る部位であると共に、ホルダ７１（図１参照）で抱持される部位である。グリップ部３ｂは、ハウジング３の基端部側に配置されたコリメータレンズ３２の配置位置から走査手段３３の配置位置までのレーザ光の光軸の方向に延設されて、略円筒状に形成されている。グリップ部３ｂ内には、外周面に設置された操作ボタンＳＷと、ハウジング３の下面から引き出された状態に配線された光ファイバ６０Ａと、この光ファイバ６０Ａによって導入された計測光を受光してレーザ光を平行光に収束させるコリメータレンズ３２と、そのレーザ光を遮断するシャッタ機構３１と、が主に収納される収納空間が形成されている。
【００４５】
集光レンズ収納部３ｃは、走査手段３３で走査された走査光を集光する集光レンズ３４を内設したレンズ収納筒体３５２を収納する部位であり、走査手段収納部３ａから筒体支持部３ｄに亘って略円筒状に形成されている。
筒体支持部３ｄは、先端側に、外環部材３８及び係合筒部材４Ａｃを介在して支持体４が着脱可能に取り付けられる連結用筒体３５４が内嵌される円筒形状の部位であり、ハウジング３の先端に形成されている。
【００４６】
図６に示すように、フレーム本体３００は、シャッタ機構３１、光軸調整機構３２１、走査手段３３及びレンズ収納筒体３５２を保持する保持部材であり、ハウジング３内にねじ止めされた側面視して略逆Ｌ字形状の厚板状部材からなる。フレーム本体３００には、中央部に走査手段３３が固定されるＬ字型部３００ａと、シャッタ機構３１及び光軸調整機構３２１が固定される垂直部３００ｂと、レンズ収納筒体３５２が固定される水平部３００ｃと、垂直部３００ｂに上下方向に延設された位置調整孔３０１と、水平部３００ｃに水平方向に延設された位置調整孔３０２と、が主に形成されている。
【００４７】
フレーム本体３００には、コリメータ３２２の光軸長を可変させて光軸方向の位置を調整可能にした計測光の光路長変更手段３９（図４参照）が設けられている。
計測光の光路長変更手段３９は、フレーム本体３００に光軸方向に延設された位置調整孔３０１と、コリメータレンズ３２を内設したレンズホルダ３２２ａの光軸上の基端側に光ファイバ６０Ａを備えたコネクタ３２２ｂをセットしたコリメータ３２２を保持するコリメータブラケット３２４と、位置調整孔３０１に光軸方向に移動可能に挿入されてコリメータブラケット３２４を所定位置に締結するブラケット締結具３２７と、を有する。
【００４８】
図４に示すように、位置調整孔３０１は、コリメータブラケット３２４を光軸方向に移動可能及び傾動可能に支持すると共に、そのコリメータブラケット３２４を所定の向き及び位置に締結するブラケット締結具３２７を上下動可能に挿入するための長孔である。
位置調整孔３０２は、集光レンズ３４を光軸に沿って進退させる集光点調整機構３５を移動自在の設置するための長孔であり、調整ボルト３５３が移動自在に挿入されている。
【００４９】
図４〜図６に示すように、シャッタ機構３１は、サーキュレータ１４（図２参照）から送られて来た計測光と、サンプルＳに計測光が当たって反射した散乱光とが診断プローブ部３０を通過するのを遮断したり、表示画面上に写るノイズ（像）をソフト的に除去するゼロ点補正を行うための装置であり、例えば、グリップ部３ｂ内のコリメータレンズ３２と走査手段収納部３ａ内の走査手段３３との間に介在されている。シャッタ機構３１は、例えば、シャッタ３１２及びシャッタ駆動手段３１３が取り付けられるシャッタ基体３１１と、透孔３１１ａを通過する計測光及び散乱光の光路を開閉するシャッタ３１２と、シャッタ３１２を光軸上に移動させたり、光軸上から退避させたりして開閉駆動させて、透孔３１１ａを開閉させるシャッタ駆動手段３１３と、シャッタ基体３１１をフレーム本体３００に上下方向に移動可能に固定するシャッタ基体締結具３１４と、を備えている。
【００５０】
図４〜図６に示すように、コリメータレンズ３２は、コリメータレンズ３２をレンズホルダ３２２ａ内に内設し、レンズホルダ３２２ａに光軸上の一端側に光ファイバ６０Ａを取り付けたコネクタ３２２ｂをセットしたコリメータ３２２のレンズである。コリメータレンズ３２は、カップラ１２（図２参照）からサーキュレータ１４を介して送られた計測光を受光してレーザ光を平行光に収束させる。
【００５１】
図４〜図６に示すように、光軸調整機構３２１は、コリメータ３２２を光軸に対して傾けたり、進退してコリメータ３２２の向きと位置を調整する装置である。光軸調整機構３２１は、略筒状のコリメータ３２２と、コリメータ３２２を光軸を中心として矢印ｂ方向に回動自在に保持するコリメータホルダ３２３と、コリメータホルダ３２３をホルダ締結具３２６を中心として矢印ｃ方向に回動自在に位置調整可能に取り付けられたコリメータブラケット３２４と、コリメータホルダ３２３に回動自在に挿入されたコリメータ３２２の締め付けが調整可能なユニット締結具３２５と、コリメータ３２２の前後方向の傾きを調整可能にコリメータホルダ３２３を固定するホルダ締結具３２６と、コリメータブラケット３２４を上下動及び回動可能に固定にするブラケット締結具３２７と、を有する。
【００５２】
＜走査手段＞
図６に示すように、走査手段３３は、光ファイバ６０Ａによって診断プローブ部３０内に導入され、コリメータレンズ３２を通過したレーザ光の照射方向を変化させるためのミラーであり、コリメータレンズ３２を透過した計測光の光軸を変換する二次元ＭＥＭＳミラーからなる。
二次元ＭＥＭＳミラーの素子は、例えば、光を全反射するミラーや、電磁力を発生する電磁駆動用の平面コイル等の可動構造体が形成されたシリコン層と、セラミック台座と、永久磁石と、の三層構造に形成されて、コイルへ通電される電流の大きさに比例してＸ軸方向及びＹ軸方向に静的、動的傾斜する制御が可能になっている。
なお、走査手段３３は、ガルバノミラーであっても構わない。
【００５３】
光源１１から照射されたレーザ光は、二次元ＭＥＭＳミラーを介してサンプルＳ（図２参照）に照射され、診断プローブ部３０の支持体先端が正対するサンプルＳの表面から内部に進む深さ方向（Ａ方向）の内部情報をディテクタ２３が取得する。後記するように１回のスキャンで１１５２ポイントからなるＡ方向のデータ（以下、Ａラインデータという）を取得し、その後の周波数解析の画像処理を取得する。
ここで、Ｘ方向及びＹ方向とは、診断プローブ部３０の支持体先端が正対するサンプルＳの表面において横方向（Ｘ軸方向）及び縦方向（Ｙ軸方向）に対応する。
【００５４】
図５及び図６に示すように、集光レンズ３４は、走査手段３３による走査光を集光すると共に、計測光をサンプルＳに集光させて照射するレンズであり、レンズ収納筒体３５２に内設されている。レンズ収納筒体３５２は、ハウジング３の集光レンズ収納部３ｃ内に収納され、フレーム本体３００に固定されている。
【００５５】
＜集光点調整機構＞
図４に示すように、集光点調整機構３５は、集光レンズ３４と支持体４に当接されたサンプルＳ（被写体）との間の距離を調整して集光点を調整する装置であり、ハウジング３の集光レンズ収納部３ｃに操作ノブ３５１を露出した状態で内設されている。集光点調整機構３５は、フレーム本体３００の水平部３００ｃに水平方向に向けて延設された位置調整孔３０２と、位置調整孔３０２に挿入されてレンズ収納筒体３５２を光軸に沿って形成された位置調整孔３０２の適宜な位置に固定する調整ボルト３５３と、レンズ収納筒体３５２に一体に形成されて集光レンズ３４を位置調整孔３０２の適宜な位置に移動操作するための操作ノブ３５１と、支持体保持部材３６を介在して直視撮影用支持体４Ａ（支持体４）をフレーム本体３００に固定するための連結用筒体３５４と、を備えてなる。
集光点調整機構３５は、操作ノブ３５１を操作して移動させることによって、操作ノブ３５１と共に集光レンズ３４が光軸方向に進退して、集光点の位置を調整可能である。
【００５６】
図６に示すように、支持体保持部材３６は、連結用筒体３５４と後記する直視撮影用支持体４Ａとの間に介在されて外環部材３８に着脱自在に内嵌される略円筒状部材である。支持体保持部材３６は、係合筒部材４Ａｃの係合筒部４Ａｆが係合される係合部３６ａと、係合筒部４Ａｆに形成された環状溝４Ａｇに係合及び離脱可能に設けられたボールジョイント（ワンタッチジョイント）用の球体ＳＢと、この球体ＳＢを付勢するスプリング（図示省略）と、このスプリング及び球体ＳＢが挿入される球体挿入孔３６ｂと、を有している。
外環部材３８は、支持体保持部材３６及びスプリング（図示省略）を覆うようにその外側に配置される略筒状の部材であり、その内面に、圧縮された状態のスプリング（図示省略）の先端部を支持するばね受け凸部（図示省略）が形成されている。
【００５７】
＜支持体＞
図６に示すように、支持体４（直視撮影用支持体４Ａ（前歯用支持体））は、診断プローブ部３０で撮影する際に、この支持体４をサンプルＳに当接させることにより、診断プローブ部３０を安定した状態に支持させるための部材である。支持体４は、集光レンズ３４の前方に配置され計測光をサンプルＳに照射して散乱光を回収する開口４Ａｄと、撮影の際に、先端をサンプルＳに当接させて診断プローブ部３０とサンプルＳとの間に距離を安定化させる延設部４ａ（棒状部４Ａａ）とを有する。支持体４は、ハウジング３の先端部に配置され、散乱光を回収する開口部３ｇに連結される。直視撮影用支持体４Ａ（前歯用支持体）は、ハウジング３の先端部の集光レンズ収納部３ｃに、連結用筒体３５４、支持体保持部材３６、スプリング（図示省略）、球体ＳＢ及び外環部材３８を介在して着脱可能（交換可能）かつ回動自在に装着されている。直視撮影用支持体４Ａは、例えば、ステンレス鋼等によって形成されている。
【００５８】
直視撮影用支持体４Ａは、開口部３ｇ付近から被写体方向側に向けて延設され、開口部３ｇの内径ｄ１または開口４Ａｄよりも幅ｗ１の小さくて細長い円柱形状（棒状）の延設部４ａ（棒状部４Ａａ）と、棒状部４Ａａの基端側に設けられ開口部３ｇ（係合部３６ａ）に着脱可能に内嵌される係合筒部材４Ａｃと、棒状部４Ａａと係合筒部材４Ａｃとを連結する連結具４Ａｂと、から主に構成されている。
延設部４ａは、ハウジング３の先端の開口部３ｇ付近から被写体方向に向けて形成されて、棒状部４Ａａの先端をサンプルＳの被撮影部に当接させたときに、計測光を遮らず、かつ、被撮影部を視認する術者の邪魔にならず、見易くすることができるものであれば、その形状、設置位置、本数等は特に限定されない。
【００５９】
棒状部４Ａａは、撮影の際に、患者の口腔内に挿入されて先端をサンプルＳに当接させるための部材であり、光軸から離れた位置に、光軸に沿って真っすぐに形成されて、基端部が連結部４Ａｅに係合されると共に、連結具４Ａｂによって係合筒部材４Ａｃに着脱可能に固定されている。棒状部４Ａａは、開口４Ａｄの外周に形成されたフランジ部４Ａｈから突出するように配置され、例えば、フランジ部４Ａｈの前側上部に突設した１本の部材からなる。なお、棒状部４Ａａの幅ｗ１は、鍔形状のフランジ部４Ａｈの幅ｗ２（フランジ部４Ａｈのフランジ面）に収まる小径の部材からなる。
【００６０】
連結具４Ａｂは、小さなねじ部材等からなり、連結部４Ａｅ内に係合された棒状部４Ａａを連結部４Ａｅの外側から着脱可能に締結される。
係合筒部材４Ａｃは、直視撮影用支持体４Ａの基端側を支持体保持部材３６に着脱自在に取り付けるための鍔付円筒形状の部材であり、開口４Ａｄを有する係合筒部４Ａｆと、環状溝４Ａｇと、フランジ部４Ａｈと、が一体形成されている。
【００６１】
開口４Ａｄは、係合部３６ａ、開口部３ｇ及び集光レンズ収納部３ｃ内に連通する空間であり、係合筒部材４Ａｃの内部に形成され、計測光及び散乱光が通る中空部位である。
連結部４Ａｅは、フランジ部４Ａｈの前側上部に縦断面視して凹溝形状に形成された棒状部固定用係合溝であり、下面に連結具４Ａｂを挿設するための設置孔が形成されている。この連結部４Ａｅの幅ｗ２は、フランジ部４Ａｈの幅ｗ２と略同じ長さである。つまり、連結部４Ａｅの幅ｗ２は、フランジ部４Ａｈの外径ｄ３からフランジ部４Ａｈの内径ｄ２を引いた長さに収まるように形成されて、棒状部４Ａａの幅ｗ１よりも僅かに長い。なお、連結部４Ａｅは、フランジ部４Ａｈに溶接して固定したものでも、フランジ部４Ａｈに一体成形したものでもどちらであっても構わない。
【００６２】
係合筒部４Ａｆは、係合筒部材４Ａｃの基端部側に直視撮影用支持体４Ａを支持体保持部材３６に内嵌させるための円筒状部位である。
環状溝４Ａｇは、係合筒部４Ａｆの外周面に形成された断面視して半円状の環状溝である。直視撮影用支持体４Ａは、環状溝４Ａｇに球体ＳＢが係合・離脱することによって、診断プローブ部３０に対して着脱自在になっている。
フランジ部４Ａｈは、係合筒部材４Ａｃの外周部の中央に、鍔形状に形成された部位であり、外環部材３８の前端に配置されている。
【００６３】
制御ユニット部５０（制御ユニット）は、図２に示すように、ＡＤ変換回路５１と、ＤＡ変換回路５２と、二次元ＭＥＭＳミラー制御回路５３と、表示装置５４と、ＯＣＴ制御装置１００とを備える。
【００６４】
ＡＤ変換回路５１は、ディテクタ２３（検出器）のアナログ出力信号をデジタル信号に変換する回路である。ＡＤ変換回路５１は、光源１１であるレーザ出力装置から出力されるトリガ（trigger）に同期して信号の収得を開始し、同じくレーザ出力装置から出力されるクロック信号ｃｋのタイミングに合わせ、ディテクタ（検出器）２３のアナログ出力信号を収得し、デジタル信号に変換してデジタル信号をＯＣＴ制御装置１００に入力する。
【００６５】
ＤＡ変換回路５２は、ＯＣＴ制御装置１００のデジタル出力信号をアナログ信号に変換する回路である。ＤＡ変換回路５２は、光源１１であるレーザ出力装置から出力されるトリガ（trigger）に同期して、ＯＣＴ制御装置１００のデジタル信号をアナログ信号に変換する。このアナログ信号は、二次元ＭＥＭＳミラー制御回路５３に入力する。
【００６６】
二次元ＭＥＭＳミラー制御回路５３は、診断プローブ部３０の走査手段３３を制御するドライバである。二次元ＭＥＭＳミラー制御回路５３は、ＯＣＴ制御装置１００のアナログ出力信号に基づいて、光源１１から出照されるレーザ光の出力周期に同期して、二次元ＭＥＭＳミラーのミラーを水平方向と垂直方向に駆動させる駆動信号を出力する。
二次元ＭＥＭＳミラー制御回路５３は、ミラーの軸を回転させて水平方向にミラー面の角度を変更する処理と、ミラーの軸を回転させて垂直方向にミラー面の角度を変更する処理と、を異なるタイミングで行う。
【００６７】
表示装置５４は、ＯＣＴ制御装置１００によって生成される光干渉断層画像（以下、ＯＣＴ画像という）を表示するものである。表示装置５４は、例えば、液晶ディスプレイ（ＬＣＤ：Liquid Crystal Display）、ＥＬ（Electronic Luminescence）、ＣＲＴ（Cathode Ray Tube）、ＰＤＰ（Plasma Display Panel）等から構成される。
【００６８】
ＯＣＴ制御装置１００は、ＯＣＴ装置１の制御装置であって、レーザ光に同期して走査手段３３を制御することで撮影を行うと共に、ディテクタ２３の検出信号を変換したデータからサンプルＳのＯＣＴ画像を生成する制御を行うものである。ＯＣＴ制御装置１００は、不図示の入出力手段と、記憶手段と、演算手段と、を備えたコンピュータと、このコンピュータにインストールされたプログラムとから構成される。
【００６９】
［作用］
次に、ＯＣＴ装置１を使用してサンプルＳ(前歯部Ｓａ)を撮影する場合を説明する。
前歯部Ｓａを撮影する場合は、まず、不図示の電源スイッチをＯＮした後、診断プローブ部３０の操作ボタンＳＷを操作して、図６に示すシャッタ機構３１のシャッタ駆動手段３１３を駆動させてシャッタ３１２を開放状態にする。
【００７０】
診断プローブ部３０は、撮影する際に、集光レンズ３４と、直視撮影用支持体４Ａの棒状部４Ａａの先端に当接させた前歯部Ｓａとの間の距離Ｌ（集光点）を集光点調整機構３５で調整することにより、撮影する断層画像を前歯部Ｓａの基準面から深さ方向に位置調整して、深さ方向に広い範囲に亘って断層画像を得ることができる。
【００７１】
また、図２に示すように、ＯＣＴ装置１は、コリメータ１９ｄを光軸方向に移動させて、カップラ１２（光分割器）から参照ミラー２１までの光路長を変更する光路長変更手段２４と、集光レンズ３４と前歯部Ｓａとの距離を調整して集光点を調整する集光点調整機構（図示省略）と、を有し、両者を作動させて互いの光路長を一致させることによって、所望の可干渉距離内の鮮明な断層画像を得ることができる。
【００７２】
撮影するときは、図４に示す診断プローブ部３０のグリップ部３ｂを手で握って、棒状部４Ａａの先端を前歯部Ｓａに当接させた状態で撮影する。直視撮影用支持体４Ａは、診断プローブ部３０で前歯部Ｓａの唇側面側を撮影する際に（図４参照）、棒状部４Ａａを前歯部Ｓａに当接させて、その間隔を安定した状態に保持しながら計測光を前歯部Ｓａに照射して、反射された散乱光を回収するための部材である。なお、直視撮影用支持体４Ａは、前歯部Ｓａ以外に、口腔内組織の撮影にも用いることができる。
【００７３】
このように、診断プローブ部３０は、棒状部４Ａａの幅が細長いので、術者が口腔内の前歯部Ｓａの被撮影部を視認しながら撮影しても、診断プローブ部３０の先端部により被撮影部が視認し難くなるのを解消することができる。また、診断プローブ部３０は、前歯部Ｓａを撮影する際の被撮影部の視認性を向上させて、被撮影部を効率よく撮影することができる。また、支持体４は、シンプルな形状をしているので、診断プローブ部３０から外して洗浄及び殺菌する際に、洗浄等の作業が行い易い。
【００７４】
≪第１変形例≫
なお、本発明は、前記実施形態に限定されるものではなく、その技術的思想の範囲内で種々の改造及び変更が可能であり、本発明はこれら改造及び変更された発明にも及ぶことは勿論である。なお、既に説明した構成は同じ符号を付してその説明を省略する。
図７は、本発明の実施形態に係るプローブの第１変形例を示す図であり、（ａ）が側視撮影用支持体の側面図、（ｂ）は側視撮影用支持体の拡大斜視図、（ｃ）は側視撮影用支持体の拡大中央縦断面図である。
【００７５】
図７（ａ）〜（ｃ）に示すように、診断プローブ部３０Ｂは、ハウジング３Ｂの走査手段収納部３Ｂａにガルバノミラーからなる走査手段（図示省略）を内設してもよい。
また、前記実施形態では、支持体４の一例として図４に示す前歯部Ｓａ等のサンプルＳの撮影に適した直視撮影用支持体４Ａを例に挙げて説明したが、図７（ａ）〜（ｂ）に示すように、臼歯部Ｓｂ等の撮影に適した側視撮影用支持体４Ｂ（臼歯用支持体）であっても構わない。側視撮影用支持体４Ｂは、前記した直視撮影用支持体４Ａ（図３〜図６参照）の棒状部４Ａａの先端部に、斜鏡４Ｂｊを設けてなる。
【００７６】
つまり、側視撮影用支持体４Ｂは、図７（ａ）〜（ｃ）に示すように、開口４Ｂｄを有する係合筒部材４Ｂｃのフランジ部４Ｂｈの上部前側の連結部４Ｂｅに、棒状部４Ｂａを係合させて連結具４Ｂｂで連結し、棒状部４Ｂａ（延設部４ａ）の先端部をへの字状に折曲した折曲部４Ｂｉを形成して折曲部４Ｂｉに斜鏡４Ｂｊを接合したものである。
係合筒部材４Ｂｃは、前記実施形態の係合筒部材４Ａｃと同一である。棒状部４Ｂａは、例えば、前記実施形態の棒状部４Ａａ（図４参照）の先端部を斜め下方に約４５度折曲した折曲部４Ｂｉを有する。斜鏡４Ｂｊは、計測光及び散乱光を反射するミラーであり、集光レンズ３４の光軸を直交する方向に９０度変換する反射鏡である。斜鏡４Ｂｊは、少なくとも折曲部４Ｂｉが接合される背面がステンレス鋼等の接合可能な部材から形成され、反射面にミラーを備えている。
【００７７】
このように、診断プローブ部３０Ｂは、ハウジング３Ｂに設ける支持体４を側視撮影用支持体４Ｂに交換すれば、棒状部４Ｂａの先端部に斜鏡４Ｂｊを配置することができるため、臼歯部Ｓｂ等のサンプルＳの撮影に適したものに容易に変換させることができる。側視撮影用支持体４Ｂは、口腔内組織撮影や、前記した直視撮影用支持体４Ａで撮影困難な部位、例えば、臼歯部Ｓｂの咬合面、舌側面、頬側面の撮影、その他、前歯部Ｓａの舌側面側の断層画像を撮影するのにも適している。
また、支持体４（側視撮影用支持体４Ｂ）は、臼歯部Ｓｂを撮影後、新品あるいは洗浄した支持体４と交換することにより、支持体４を常に清潔な状態にすることができる。
【００７８】
≪第２変形例≫
図８は、本発明の実施形態に係るプローブの第２変形例を示す概念図であり、（ａ）は直視撮影用支持体の斜視図、（ｂ）は平常時の直視撮影用支持体を示す拡大縦断面図、（ｃ）は被写体を直視撮影用支持体で押圧しているときの状態を示す拡大縦断面図である。
また、診断プローブ部３０の支持体４には、図８（ａ）〜（ｃ）に示すように、この支持体４（直視撮影用支持体４Ａ１）の長さＬを、可干渉範囲内の伸縮調整範囲Ｌ１の範囲内で短く可変することができる可変機構４０を設けても構わない。
【００７９】
前記可変機構４０は、ハウジング３に対して直視撮影用支持体４Ａ１（支持体４）を進退可能に支持する機構であり、ハウジング３の先端部位に配置された係合筒部材４Ａ１ｃと、この係合筒部材４Ａ１ｃと棒状部４Ａ１ａ（延設部４ａ）との間に介在されたばね収納部４Ａ１ｉ（付勢手段収納部）と、ばね収納部４Ａ１ｉに内設されて棒状部４Ａ１ａを先端側へ付勢するばね部材ＳＰ１（付勢手段）と、係合筒部材４Ａ１ｃとばね収納部４Ａ１ｉとを連結する連結具４Ａ１ｂと、ばね収納部４Ａ１ｉを閉塞する収納部連結ナット４Ａ１ｊと、を主に備えてなる。
【００８０】
棒状部４Ａ１ａは、収納部連結ナット４Ａ１ｊの内底に穿設した貫通孔の周縁部が係止され、ばね部材ＳＰ１を受け止めるばね受部４Ａ１ｋが基端部側に形成されている。
連結具４Ａ１ｂは、ばね収納部４Ａ１ｉを連結部４Ａ１ｅに着脱可能に固定するねじ等からなる。
係合筒部材４Ａ１ｃは、開口４Ａ１ｄ、連結部４Ａ１ｅ、係合筒部４Ａ１ｆ、環状溝４Ａ１ｇ及びフランジ部４Ａ１ｈが一体形成され、前記実施形態の係合筒部材４Ａｃと略同一構造であるので、その説明を省略する。
ばね収納部４Ａ１ｉは、例えば、直視撮影用支持体４Ａ１を先端側へ付勢する圧縮コイルばねからなるばね部材ＳＰ１を伸縮自在に収納する有底円筒状の部材からなり、基端部側が係合筒部材４Ａ１ｃに連結され、先端側が直視撮影用支持体４Ａ１を前後方向に所定距離だけ移動可能に支持している。ばね収納部４Ａ１ｉの先端側外周部には、収納部連結ナット４Ａ１ｊの雌ねじ部が螺合して、収納部連結ナット４Ａ１ｊをばね収納部４Ａ１ｉに固定させるための雄ねじからなるねじ部４Ａ１ｍが形成されている。
【００８１】
直視撮影用支持体４Ａ１は、平常時、図８（ｂ）に示すように、ばね部材ＳＰ１のばね力によって先端側へ押圧されている。前歯部Ｓａの断層画像を撮影する場合は、直視撮影用支持体４Ａ１の先端を前歯部Ｓａの表面に押し当てて伸縮させ、集光レンズ３４の焦点の位置に合わせて前歯部Ｓａの撮影した位置を合わせてから撮影する。このようにして、直視撮影用支持体４Ａ１をばね部材ＳＰ１のばね力に抗して伸縮させることによって、集光レンズ３４の焦点位置に撮影したい前歯部Ｓａの部位を移動させて合わせることでピントを調整することができる。
【００８２】
例えば、前歯部Ｓａの表面の先端部に集光レンズ３４の焦点がある場合に、図８（ｂ）に示すように、前歯部Ｓａの表面から距離（Ｌ１）中側の位置の断層画像を撮影するときは、直視撮影用支持体４Ａを前歯部Ｓａに押し当てて、可干渉範囲内の距離（Ｌ１）まで圧縮移動させて、集光レンズ３４の焦点位置に合わせることにより、ピントが合う。このため、前歯部Ｓａの撮影したい位置の断層画像を鮮明な状態に撮影することができる。
【００８３】
≪第３変形例≫
図９は、本発明の実施形態に係るプローブの第３変形例を示す概念図である。図１０は、本発明の実施形態に係るプローブの第３変形例を示す図であり、（ａ）は側視撮影用支持体の斜視図、（ｂ）は平常時の側視撮影用支持体の状態を示す拡大縦断面図、（ｃ）は被写体を側視撮影用支持体で押圧しているときの状態を示す拡大縦断面図である。
また、図９に示すように、前記第２変形例の直視撮影用支持体４Ａ１（前歯用支持体）は、臼歯部Ｓｂを撮影する場合、可変機構４０を有する側視撮影用支持体４Ｂ１（臼歯用支持体）に取り換えることにより、臼歯部Ｓｂの撮影を行い易くすることができる。
【００８４】
図１０（ａ）〜（ｃ）に示す側視撮影用支持体４Ｂ１は、前記第２変形例の直視撮影用支持体４Ａ１の棒状部４Ａ１ａ（４Ｂ１ａ，延設部４ａ）の先端部を約４５度折曲した折曲部４Ｂ１ｉを形成し、折曲部４Ｂ１ｉに斜鏡４Ｂ１ｊを接合手段等によって取り付けたものである。この場合、斜鏡４Ｂ１ｊの先端側端部には、例えば、サンプルＳに当接させて側視撮影用支持体４Ｂ１を支持させるためのリング形状の歯牙用の固定具４Ｂ１１を設けてもよい。固定具４Ｂ１１は、臼歯部Ｓｂの被撮影部を覆うように配置されるステンレス製等の当接部４Ｂ１１ａと、リング形状の当接部４Ｂ１１ａの先端部に形成されて、斜めに配置された斜鏡４Ｂ１ｊに対して当接部４Ｂ１１ａを水平に固定するための連結部４Ｂ１１ｂと、を有している。
なお、第３変形例におけるそれ以外の構成は、第２変形例と同様な構成であるため、その説明を省略する。
【００８５】
このように、診断プローブ部３０は、側視撮影用支持体４Ｂ１（支持体４）がハウジング３に交換可能に設けられていることにより、撮影するサンプルＳの形状や配置状態に応じた形状の支持体４に交換してサンプルＳを撮影することで、一つの診断プローブ部３０であっても、支持体４を利用用途に合わせることができるため、患者の前歯部Ｓａ、臼歯部Ｓｂ等の全ての歯に対して集光レンズ３４の焦点を観察部位に合わせながら鮮明に撮影することができる。
また、側視撮影用支持体４Ｂ１は、ばね部材ＳＰ１のばね力に抗して伸縮させることによって、集光レンズ３４の焦点位置に、撮影したい臼歯部Ｓｂの観察部位を移動させて合わせることでピントを調整することができる。
また、診断プローブ部３０は、側視撮影用支持体４Ｂ１に設けた斜鏡４Ｂ１ｊの先端部に固定具４Ｂ１１を設けたことにより、その固定具４Ｂ１１を臼歯部Ｓｂの被撮影部の周辺に当接させて支持させることによって、フラ付くことなく安定した状態で撮影することができる。また、診断プローブ部３０は、この固定具４Ｂ１１を臼歯部Ｓｂに当接させて可変機構４０を伸縮させることにより、可変機構４０をスムーズに伸縮させながら撮影することができる。
【００８６】
≪第４変形例≫
図１１は、本発明の実施形態に係るプローブの第４変形例を示す図であり、（ａ）は平常時の直視撮影用支持体の状態を示す拡大縦断面図、（ｂ）は直視撮影用支持体を圧縮移動させたときの状態を示す拡大縦断面図である。
また、前記第２変形例の直視撮影用支持体４Ａ１（図８参照）は、ばね収納部４Ａ１ｉ及びばね部材ＳＰ１を備えた可変機構４０に代えて、図１１（ａ）、（ｂ）に示すように、圧縮エア（付勢手段）を充填したエアスプリングＳＰ２を備えた可変機構４１を有する直視撮影用支持体４Ａ２であっても構わない。
【００８７】
この場合、直視撮影用支持体４Ａ２は、圧縮空気の弾性を利用したエアスプリングＳＰ２からなる可変機構４１以外は、前記第２変形例の直視撮影用支持体４Ａ１（図８参照）と同じ構成であり、その説明を省略する。可変機構４１は、中空状の空気室（空気ばね）を形成する圧縮エア収納部４Ａ２ｉ（付勢手段収納部）と、圧縮エア収納部４Ａ２ｉ内に進退可能に挿入されたピストン部４Ａ２ｋを有する棒状部４Ａ２ａ（延設部４ａ）と、空気室を閉塞する棒状部係止ナット４Ａ２ｊと、を備えてなる。
【００８８】
棒状部４Ａ２ａは、基端部側に一体形成されたピストン部４Ａ２ｋを圧縮エア収納部４Ａ２ｉ内に配置し、棒状部係止ナット４Ａ２ｊに進退可能に挿入されている。
圧縮エア収納部４Ａ２ｉは、係合筒部材４Ａ２ｃと棒状部４Ａ２ａとの間に介在されて、棒状部４Ａ２ａを先端側へ付勢する圧縮エアを収納し、基端部側が係合筒部材４Ａ２ｃに連結され、先端側が棒状部４Ａ２ａを前後方向に所定距離だけ移動可能に支持されている。圧縮エア収納部４Ａ２ｉは、密閉状態の有底円筒形状の部材からなり、締結具４Ａ２ｂによって係合筒部材４Ａ２ｃの連結部４Ａ２ｅに固定されている。
棒状部係止ナット４Ａ２ｊは、圧縮エア収納部４Ａ２ｉの先端側外周面に形成されたねじ部４Ａ２ｍに螺着されることによって、棒状部４Ａ２ａを予め設定した伸縮調整範囲Ｌ１だけ進退可能に支持すると共に、空気室を密閉する。
【００８９】
このように、診断プローブ部３０は、直視撮影用支持体４Ａ２（支持体４）の長さＬを変えることができるので、それに伴って光路の長さ集光レンズ３４（図６参照）の焦点も変えられる。このため、撮影する範囲も、サンプルＳの深さ方向に広範囲に探せるようになると共に、断層画像の鮮明度も調整できるようになる。
【００９０】
≪第５変形例≫
図１２は、本発明の実施形態に係るプローブの第５変形例を示す図であり、（ａ）は側視撮影用支持体の斜視図、（ｂ）は平常時の側視撮影用支持体の状態を示す拡大縦断面図、（ｃ）は側視撮影用支持体を圧縮移動させたときの状態を示す拡大縦断面図である。
第４変形例の直視撮影用支持体４Ａ２に設けた可変機構４１（図１１（ａ）、（ｂ）参照）は、図１２（ａ）〜（ｃ）に示すように、側視撮影用支持体４Ｂ２に設けても構わない。
【００９１】
この場合、図１２（ａ）〜（ｃ）に示す側視撮影用支持体４Ｂ２は、第４変形例で説明したエアスプリングＳＰ２からなる可変機構４１（図１１（ａ）、（ｂ）参照）を、第３変形例の側視撮影用支持体４Ｂ１（図１０（ａ）〜（ｃ）参照）に採用したものである。つまり、側視撮影用支持体４Ｂ２は、可変機構４１の先端側に設けた棒状部４Ｂ２ａ（延設部４ａ）の先端部に折曲部４Ｂ２ｉを形成し、その折曲部４Ｂ２ｉに斜鏡４Ｂ２ｊを取り付けてなる臼歯部Ｓｂ撮影用の支持体４としてもよい。
なお、第３変形例で説明したリング形状の固定具４Ｂ１１（図１０（ａ）〜（ｃ）参照）は、図１２（ａ）〜（ｃ）に示す固定具Ｂ２１のように、略半円形状に形成された当接部４Ｂ２１ａを有するものであってもよい。この他、固定具Ｂ２１は、略Ｃ字形状、略Ｕ字形状、あるいは、円弧形状に形成されたものであっても構わない。なお、当接部４Ｂ２１ａは、斜鏡４Ｂ２ｊに形成された切欠部に連結部４Ｂ２１ｂを係合させて接合される。
【００９２】
≪第６変形例≫
図１３は、本発明の実施形態に係るプローブの第６変形例を示す図であり、（ａ）は直視撮影用支持体の斜視図、（ｂ）は平常時の直視撮影用支持体の状態を示す拡大縦断面図、（ｃ）は直視撮影用支持体を圧縮移動させたときの状態を示す拡大縦断面図である。
【００９３】
本発明の実施形態に係るプローブの第６変形例は、前記第２変形例の可変機構４０（図８（ａ）〜（ｃ）参照）の小径のばね部材ＳＰ１に代えて、図１３（ａ）〜（ｃ）に示すように、棒状部４Ａ３ａ（延設部４ａ）を伸縮可能にする大径のばね部材ＳＰ３（付勢手段）を係合筒部材４Ａ３ｃ内に設け、直視撮影用支持体４Ａ３（前歯用支持体）をハウジング３側に対して着脱自在（交換可能）、回動自在、かつ、伸縮自在に装着した可変機構４２を利用したものである。
【００９４】
この場合、直視撮影用支持体４Ａ３は、図１３（ａ）〜（ｃ）に示すように、ばね部材ＳＰ３と、棒状部４Ａ３ａと、棒状部４Ａ３ａを連結部４Ａ３ｅに固定する連結具４Ａ３ｂと、係合筒部４Ａ３ｆ、環状溝４Ａ３ｇ及びばね収納部４Ａ３ｉが一体形成された係合筒部材４Ａ３ｃと、棒状部４Ａ３ａの基端部が係合される連結部４Ａ３ｅと、連結部４Ａ３ｅ、開口４Ａ３ｄ、開口４Ａ３ｄ及びフランジ部４Ａ３ｈを有する摺接筒体４Ａ３ｊと、ばね部材ＳＰ３の先端側を支持するばね受環状部材４Ａ３ｋと、基端部側内縁部がばね収納部４Ａ３ｉ（付勢手段収納部）の外周部に螺着され、先端側内縁部がばね収納部４Ａ３ｉの外周面に摺動自在に外嵌される係止ナット４Ａ３ｍと、を備えてなる。
【００９５】
ばね部材ＳＰ３は、棒状部４Ａ３ａを連結具４Ａ３ｂ、摺接筒体４Ａ３ｊ及びばね受環状部材４Ａ３ｋを介在して先端側方向に押圧する円筒状の圧縮コイルばねからなり、先端部側がばね受環状部材４Ａ３ｋに支持され、基端部側が係合筒部材４Ａ３ｃのばね収納部４Ａ３ｉに支持されている。
棒状部４Ａ３ａ、連結具４Ａ３ｂ、連結部４Ａ３ｅ、係合筒部４Ａ３ｆ及び環状溝４Ａ３ｇは、前記実施形態の棒状部４Ａａ、連結具４Ａｂ、連結部４Ａｅ、係合筒部４Ａｆ及び環状溝４Ａｇと同一構造であり、その説明は省略する。
【００９６】
係合筒部材４Ａ３ｃは、直視撮影用支持体４Ａ３をハウジング３側に連結するための部材であり、常に、ばね部材ＳＰ３のばね力で押圧された状態に設けられている。
開口４Ａ３ｄは、摺接筒体４Ａ３ｊに形成され、ばね受環状部材４Ａ３ｋ、係止ナット４Ａ３ｍ及び係合筒部材４Ａ３ｃの内部空間に連通し、それらの内部空間により計測光及び反射光が通過する光路の一部を形成している。
係合筒部４Ａ３ｆは、支持体保持部材３６（図６参照）の係合部３６ａに係合される部材であり、前記実施形態の係合筒部４Ａｆとは、この係合筒部４Ａ３ｆが係止ナット４Ａ３ｍが螺合される雄ねじ部と、ばね部材ＳＰ３の基端部側が収納されるばね収納部４Ａ３ｉとが一体形成されている点で相違している。
【００９７】
摺接筒体４Ａ３ｊは、先端部側が連結具４Ａ３ｂによって棒状部４Ａ３ａに固定され、基端部側がばね受環状部材４Ａ３ｋに固定され、外周面に係止ナット４Ａ３ｍが摺動自在に外嵌されている。摺接筒体４Ａ３ｊは、常にばね部材ＳＰ３によって先端側に押圧されている。摺接筒体４Ａ３ｊは、図１３（ｂ）に示すように、平常時に、先端部外周面に係止ナット４Ａ３ｍの小径部が外嵌された位置状態になり、図１３（ｃ）に示すように、ばね部材ＳＰ３が伸縮調整範囲Ｌ１圧縮された際に、フランジ部４Ａ３ｈに係止ナット４Ａ３ｍの小径部の先端面が当接した位置状態になる。
【００９８】
ばね受環状部材４Ａ３ｋは、常に、先端側外周面が摺接筒体４Ａ３ｊの基端側内周面に螺合され、基端側内部にばね部材ＳＰ３の先端部が内嵌されている。ばね受環状部材４Ａ３ｋは、図１３（ｂ）に示すように、平常時に、外側段差部に係止ナット４Ａ３ｍの小径部が係止し、図１３（ｃ）に示すように、ばね部材ＳＰ３が圧縮された際に、基端側外周面がばね収納部４Ａ３ｉ内の入り込むように設けられている。
【００９９】
ばね受環状部材４Ａ３ｋは、先端側外周面が摺接筒体４Ａ３ｊの基端側開口部に螺着され、基端側の内側段差部にばね部材ＳＰ３の先端側が内嵌されて、常に、ばね部材ＳＰ３によって先端側に押圧されている。ばね受環状部材４Ａ３ｋの基端部側大径部は、図１３（ｂ）に示すように、平常時に、係止ナット４Ａ３ｍの小径部が圧接し、図１３（ｃ）に示すように、ばね部材ＳＰ３が圧縮された際に、係止ナット４Ａ３ｍが離れてばね収納部４Ａ３ｉ内に入り込む。
【０１００】
係止ナット４Ａ３ｍは、常時、基端部側が係合筒部材４Ａ３ｃに固定され、図１３（ｂ）に示すように、平常時に、先端側内縁部が摺接筒体４Ａ３ｊに固定されたばね受環状部材４Ａ３ｋに当接することによって、棒状部４Ａ３ａが固定された摺接筒体４Ａ３ｊと、支持体保持部材３６（図６参照）に係合された係合筒部４Ａ３ｆと、を伸縮自在に連結している。
【０１０１】
このように、可変機構４２は、ハウジング３側が固定される係合筒部４Ａ３ｆと、棒状部４Ａ３ａが固定された摺接筒体４Ａ３ｊとの間に、比較的径が大きいばね部材ＳＰ３を設けてもよく、ばね部材ＳＰ３の形状、種類、大きさい等は適宜変更しても構わない。
【０１０２】
≪第７変形例≫
図１４は、本発明の実施形態に係るプローブの第７変形例を示す図であり、（ａ）は平常時の側視撮影用支持体の状態を示す拡大縦断面図、（ｂ）は側視撮影用支持体を圧縮移動させたときの状態を示す拡大縦断面図、（ｃ）は固定具の変形例を示す要部拡大斜視図である。
第６変形例の直視撮影用支持体４Ａ３に設けた可変機構４２（図１３（ｂ）、（ｃ）参照）は、図１４（ａ）、（ｂ）に示すように、側視撮影用支持体４Ｂ３に設けても構わない。
【０１０３】
この場合、図１４（ａ）、（ｂ）に示す側視撮影用支持体４Ｂ３は、第６変形例で説明したばね部材ＳＰ３を備えてなる可変機構４２（図１３（ａ）〜（ｃ）参照）を、第１変形例の側視撮影用支持体４Ｂ（図７（ａ）〜（ｃ）参照）に採用したものである。つまり、側視撮影用支持体４Ｂ３は、可変機構４２の先端側に設けた棒状部４Ｂ３ａ（延設部４ａ）の先端部に折曲部４Ｂ３ｉを形成し、その折曲部４Ｂ３ｉに斜鏡４Ｂ３ｊを取り付けてなる臼歯部Ｓｂ撮影用の支持体４としてもよい。
【０１０４】
また、図１０（ａ）〜（ｃ）に示す第３変形例の側視撮影用支持体４Ｂ１のリング形状の歯牙用の固定具４Ｂ１１は、図１４（ａ）〜（ｂ）に示す固定具４Ｂ３１のように、固定具４Ｂ３１の基端側（可変機構４２側）に、撮影の際に、臼歯部Ｓｂの先端側側面に当接させて係止させる爪部４Ｂ３１ａを設けてもよい。
側視撮影用支持体４Ｂ３は、斜鏡４Ｂ３ｊの先端部に、爪部４Ｂ３１ａを有する固定具４Ｂ３１を備えていることにより、撮影する際に、固定具４Ｂ３１を１歯若しくは複数歯の臼歯部Ｓｂの表面に当接させて支持させ、さらに、爪部４Ｂ３１ａを臼歯部Ｓｂの側面に当接させて係止させることができるため、可変機構４２を安定した状態で伸縮させながら撮影することができる。
【０１０５】
≪第８変形例≫
図１５は、本発明の実施形態に係るプローブの第８変形例を示す図であり、（ａ）は直視撮影用支持体の斜視図、（ｂ）は平常時の直視撮影用支持体の状態を示す拡大縦断面図、（ｃ）は直視撮影用支持体を圧縮移動させたときの状態を示す拡大縦断面図である。
本発明の実施形態に係るプローブは、前記第６変形例の可変機構４２（図１３（ａ）〜（ｃ）参照）のばね部材ＳＰ３に代えて、図１５（ａ）〜（ｃ）に示す第８変形例のように、エアを充填したエアスプリングＳＰ４（付勢手段）からなる可変機構４３を有する直視撮影用支持体４Ａ４を備えたものであっても構わない。
【０１０６】
この場合、直視撮影用支持体４Ａ４は、圧縮空気の弾性を利用したエアスプリングＳＰ４からなる可変機構４３と、係合筒部材４Ａ４ｃ以外は、前記第６変形例の直視撮影用支持体４Ａ３（図１３参照）と同じ構成である。このため、第６変形例の直視撮影用支持体４Ａ３（図１３参照）と同じ形状の部材は、同一符号を付記してその説明を省略する。
図１５（ｂ）、（ｃ）に示すように、可変機構４３は、空気室（空気ばね）を形成する圧縮エア収納部４Ａ４ｉ（付勢手段収納部）と、圧縮エア収納部４Ａ４ｉ内に進退可能に挿入されたピストンの機能を果たす第７変形例のばね受環状部材４Ａ３ｋ（ピストン）と、棒状部４Ａ３ａ（延設部４ａ）に連結されると共にピストンロッドの機能を果たす摺接筒体４Ａ３ｊ（ピストンロッド）と、圧縮エア収納部４Ａ４ｉの一部を形成する係合筒部材４Ａ４ｃと、を備えてなる。
【０１０７】
係合筒部材４Ａ４ｃは、係合筒部４Ａ４ｆと、環状溝４Ａ４ｇと、圧縮エア収納部４Ａ４ｉと、筒状雄ねじ部４Ａ４ｎと、ガイド筒部４Ａ４ｏとが一体形成された円筒状の部材からなる。係合筒部材４Ａ４ｃは、筒状雄ねじ部４Ａ４ｎとガイド筒部４Ａ４ｏとばね受環状部材４Ａ３ｋ（ピストン）とでエアスプリングＳＰ４を形成している。
【０１０８】
圧縮エア収納部４Ａ４ｉは、筒状雄ねじ部４Ａ４ｎとガイド筒部４Ａ４ｏとの間に形成された環状の空間であり、ばね受環状部材４Ａ３ｋ（ピストン）が進退自在に挿入されている。筒状雄ねじ部４Ａ４ｎは、内壁面にばね受環状部材４Ａ３ｋ（ピストン）が摺動自在に内嵌され、外壁面に係止ナット４Ａ３ｍの雌ねじ部が螺合する雄ねじ部が形成されている。ガイド筒部４Ａ４ｏは、係合筒部４Ａ４ｆの先端側に連続形成され、外周面にばね受環状部材４Ａ３ｋ（ピストン）が摺動自在に外嵌されている。
【０１０９】
直視撮影用支持体４Ａ４（支持体４）は、このような構成の可変機構４３を設けて棒状部４Ａ３ａを伸縮可能にし、支持体４をハウジング３に対して進退させて、集光レンズ３４とサンプルＳとの距離を調整する集光点調整機構を形成しても構わない。
【０１１０】
≪第９変形例≫
図１６は、本発明の実施形態に係るプローブの第９変形例を示す図であり、（ａ）は平常時の側視撮影用支持体の状態を示す拡大縦断面図、（ｂ）は側視撮影用支持体を圧縮移動させたときの状態を示す拡大縦断面図、（ｃ）は固定具の変形例を示す要部拡大斜視図である。
第８変形例の直視撮影用支持体４Ａ４に設けた可変機構４３（図１５（ａ）〜（ｃ）参照）は、図１６（ａ）、（ｂ）に示すように、側視撮影用支持体４Ｂ４に設けてもよい。
【０１１１】
この場合、図１６（ａ）、（ｂ）に示す側視撮影用支持体４Ｂ４は、第８変形例で説明したエアスプリングＳＰ４を備えてなる可変機構４３（図１５（ｂ）、（ｃ）参照）を、第１変形例の側視撮影用支持体４Ｂ（図７（ａ）〜（ｃ）参照）に採用したものである。つまり、側視撮影用支持体４Ｂ４は、可変機構４３の先端側に設けた棒状部４Ｂ４ａ（延設部４ａ）の先端部に折曲部４Ｂ４ｉを形成し、その折曲部４Ｂ４ｉに斜鏡４Ｂ４ｊを取り付けてなる臼歯部Ｓｂ撮影用の支持体４としてもよい。
【０１１２】
また、図１２（ａ）〜（ｃ）に示す第３変形例の側視撮影用支持体４Ｂ２の略半円形状の歯牙用の固定具４Ｂ２１は、図１６（ａ）〜（ｂ）に示す固定具４Ｂ４１のように、固定具４Ｂ４１の基端側（可変機構４３側）に、撮影の際に、臼歯部Ｓｂの側面に当接させて係止させる爪部４Ｂ４１ａを設けてもよい。
側視撮影用支持体４Ｂ４は、斜鏡４Ｂ４ｊの先端部に、左右先端に被写体方向（斜鏡４Ｂ４ｊとは反対の方向）に向けてそれぞれ突出形成された２つの爪部４Ｂ４１ａを有する半円形の固定具４Ｂ４１を備えていることにより、撮影する際に、固定具４Ｂ４１を臼歯部Ｓｂの表面に当接させて支持させ、さらに、２本の爪部４Ｂ４１ａを臼歯部Ｓｂの側面に当接させて係止させることで、支持スパンを長くすることができるため、爪部４Ｂ４１ａを臼歯部Ｓｂにしっかりと係止させて安定させた状態で、可変機構４３を伸縮させながら撮影することができる。なお、固定具４Ｂ４１の２箇所に形成した２本の爪部４Ｂ４１ａは、臼歯部Ｓｂに係止させる際に、２本の爪部４Ｂ４１ａの両方を臼歯部Ｓｂに係止させてもよいし、片方の１本の爪部４Ｂ４１ａを臼歯部Ｓｂに係止させてもよく、撮影する被撮影部の状態や歯の形状等に対応させて多様的な使い方ができる。
【０１１３】
≪第１０変形例≫
図１７は、本発明の実施形態に係るプローブの第１０変形例を示す図であり、直視撮影用支持体を取り付けたプローブの斜視図である。図１８は、本発明の実施形態に係るプローブの第１０変形例を示す図であり、直視撮影用支持体を取り付けハウジング半体を取り外したプローブの分解斜視図である。図１９は、本発明の実施形態に係るプローブの第１０変形例を示す図であり、側視撮影用支持体を取り付けたプローブの分解斜視図である。
前記実施形態の診断プローブ部３０は、図１７〜図１９に示すように、ストレート型のハウジング３Ｃに前記した可変機構４２（４３）を配置したものでもよく、また、直視撮影用支持体４Ａ５及び側視撮影用支持体４Ｂ５は、略ノズル状の円筒体に切欠部４Ａ５ｂ，４Ｂ５ｂを設けることで形成された延設部４Ａ５ａ，４Ｂ５ａであっても構わない。
【０１１４】
この場合、ハウジング３Ｃは、このハウジング３Ｃの中央部に走査手段収納部３Ｃａが配置され、基端部にグリップ部３Ｃｂが配置され、中央部の先端側寄りの位置に集光レンズ収納部３Ｃｃが配置され、先端に筒体支持部３Ｃｄが配置されて、ハウジング３Ｃ全体が真っ直ぐに配置されたストレートタイプの形状に形成されている。ハウジング３Ｃは、長さ方向に中央部を縦断面して左右に二分した２つのハウジング半体３Ｃｅ，３Ｃｆを合致させて、ハウジング３Ｃの先端に可変機構４２（４３）を介在して直視撮影用支持体４Ａ５、あるいは、先端に斜鏡４Ｂ５ｊを有する側視撮影用支持体４Ｂ５が配置される。
【０１１５】
グリップ部３Ｃｂは、光軸方向に延設されている。走査手段収納部３Ｃａ内では、反射鏡Ｍで走査手段３３に向けて反射され、さらに、走査手段３３で反射されたレーザ光の光軸が、グリップ部Ｃｂ内の光軸に対して平行線上に反射されるように配置されている。集光レンズ収納部３Ｃｃは、その平行線の方向に延びて形成されている。このため、ハウジング３Ｃは、グリップ部３Ｃｂから走査手段収納部３Ｃａ及び集光レンズ収納部３Ｃｃを介して直視撮影用支持体４Ａ５までストレートに形成されている。
【０１１６】
図１８に示すように、反射鏡Ｍは、光ファイバ６０Ａから診断プローブ部３０Ｃ内に入ったレーザ光が、コリメータ３２２、シャッタ機構３１を通ってその反射鏡Ｍで、走査手段３３の中央にあるミラーに向けて反射するように、ハウジング３Ｃの長さ方向に対してグリップ部３Ｃｂ側へ傾けた状態に配置されている。
グリップ部３Ｃｂ内には、基端部側にケーブル６０、コリメータ３２２、シャッタ機構３１等が主に収納されている。グリップ部３Ｃｂの側面の集光レンズ収納部３Ｃｃ寄りの位置には、複数の操作ボタンＳＷ（図１７参照）が設けられている。
【０１１７】
図１８に示すように、筒体支持部３Ｃｄは、連結用筒体３５４、外環部材３８、集光点調整機構３５を介在して支持体４（直視撮影用支持体４Ａ５、側視撮影用支持体４Ｂ５）が着脱自在、かつ、伸縮可能に取り付けられる部位であり、使用用途に応じて直視撮影用支持体４Ａ５、あるいは、側視撮影用支持体４Ｂ５が取り付けられる。筒体支持部３Ｃｄは、集光レンズ収納部３Ｃｃの先端側からハウジング３の先端に亘って形成されている。
【０１１８】
このように診断プローブ部３０Ｃは、可変機構４２（４３）を有することにより、直視撮影用支持体４Ａ５、及び、側視撮影用支持体４Ｂ５の長さを可変することができるので、それに伴って光路の長さ集光レンズ３４の焦点も変えられるため、撮影可能範囲もサンプルＳの深さ方向に広範囲に探せるようになると共に、断層画像の鮮明度も調整できる。
また、直視撮影用支持体４Ａ５及び側視撮影用支持体４Ｂ５は、開口４Ａ５ｄ，４Ｂ５ｄ（開口部３ｇ）の内径ｄ４よりも幅ｗ３の小さい棒状の延設部４Ａ５ａ，４Ｂ５ａと、複数の延設部４Ａ５ａ，４Ｂ５ａ間に切欠形成された切欠部４Ａ５ｂ，４Ｂ５ｂと、が複数形成されていることにより、切欠部４Ａ５ｂ，４Ｂ５ｂの隙間からサンプルＳの被撮影部を視認しながら撮影することができるため、効率よく口腔内の被撮影部を撮影を行うことができる。
延設部４Ａ５ａ，４Ｂ５ａは、係合筒部材４Ａ５ｃ，４Ｂ５ｃのフランジ部４Ａ５ｈ，４Ｂ５ｈの内縁部から前方へ向けて突出形成された断面視して円弧形状の棒状部からなり、開口４Ａ５ｄ，４Ｂ５ｄの同心円上に形成されている。
なお、延設部４Ａ５ａ，４Ｂ５ａ及び切欠部４Ａ５ｂ，４Ｂ５ｂは、１つでも複数でもよく、その数、幅ｗ３の長さ、形状は、適宜変更しても構わない。
【０１１９】
［その他の変形例］
例えば、直視撮影用支持体４Ａ，４Ａ１，４Ａ２，４Ａ３，４Ａ４，４Ａ５の先端には、ゴム部材等からなる滑り止部材を設けても構わない。
同様に、側視撮影用支持体４Ｂ，４Ｂ１，４Ｂ２，４Ｂ３，４Ｂ４，４Ｂ５は、先端部に設けた斜鏡４Ｂｊ，４Ｂ１ｊ，４Ｂ２ｊ，４Ｂ３ｊ，４Ｂ４ｊ，４Ｂ５ｊの先端部位に、撮影時に当接させるサンプルＳとの摩擦抵抗を大きくして側視撮影用支持体４Ｂを滑り難くしたゴム等の低摩擦係数の滑り防止手段を着脱可能に取り付けてもよい。
【０１２０】
また、直視撮影用支持体４Ａ及び側視撮影用支持体４Ｂを先端側へ押し戻す手段としてばね部材ＳＰ１，ＳＰ３及びエアスプリングＳＰ２，ＳＰ４は、支持体４を押し戻す機能があるものであればよく、圧縮コイルばね以外の板ばねや、ゴムスプリングや皿ばね等のその他の弾性部材であっても構わない。
また、図１１（ａ）、（ｂ）、図１５（ｂ）、（ｃ）に示す棒状部係止ナット４Ａ２ｊ、圧縮エア収納部４Ａ４ｉと、摺動する棒状部４Ａ２ａ、ばね受環状部材４Ａ３ｋとの間には、空気漏れを防止するためのシール材等を設けてもよい。
【符号の説明】
【０１２１】
１      ＯＣＴ装置（光干渉断層画像生成装置）
３，３Ａ，３Ｂ，３Ｃ  ハウジング
３ｄ，３Ｃｄ  筒体支持部
３ｇ    開口部
１１    光源
２１    参照ミラー
３０，３０Ｂ，３０Ｃ  診断プローブ部（プローブ）
３３    走査手段（二次元ＭＥＭＳミラー）
３４    集光レンズ
４      支持体
４Ａ，４Ａ１，４Ａ２，４Ａ３，４Ａ４，４Ａ５  直視撮影用支持体（前歯用支持体、支持体）
４Ａ１ｃ，４Ａ２ｃ，４Ａ３ｃ，４Ａ４ｃ  係合筒部材(係合筒部)
４Ａａ，４Ａ１ａ，４Ａ２ａ，４Ａ３ａ，４Ｂａ，４Ｂ１ａ，４Ｂ２ａ，４Ｂ３ａ，４Ｂ４ａ  棒状部（延設部）
４ａ，４Ａ５ａ，４Ｂ５ａ  延設部
４Ａ１ｉ，４Ａ３ｉ  ばね部材収納体（付勢手段収納体）
４Ａ２ｉ，４Ａ４ｉ  圧縮エア収納部（付勢手段収納体）
４Ｂ，４Ｂ１，４Ｂ２，４Ｂ３，４Ｂ４，５Ｂ５  側視撮影用支持体（臼歯用支持体、支持体）
４Ｂｊ，４Ｂ１ｊ，４Ｂ２ｊ，４Ｂ３ｊ，４Ｂ４ｊ，４Ｂ５ｊ  斜鏡
４Ｂ１１，４Ｂ２１，４Ｂ３１，４Ｂ４１  固定具
４Ｂ３１ａ，４Ｂ４１ａ  爪部
４０，４１，４２，４３  可変機構
ｄ１    開口部の内径
Ｌ      支持体の長さ
Ｌ１    所定距離
Ｓ      サンプル（被写体）
Ｓａ    前歯部
Ｓｂ    臼歯部
ＳＰ１，ＳＰ３  ばね部材（付勢手段）
ＳＰ２，ＳＰ４  エアスプリング（付勢手段）
ｗ１，ｗ３  延設部の幅
【図１】
2014061089.tif 000003
【図２】
2014061089.tif 000004
【図３】
2014061089.tif 000005
【図４】
2014061089.tif 000006
【図５】
2014061089.tif 000007
【図６】
2014061089.tif 000008
【図７】
2014061089.tif 000009
【図８】
2014061089.tif 000010
【図９】
2014061089.tif 000011
【図１０】
2014061089.tif 000012
【図１１】
2014061089.tif 000013
【図１２】
2014061089.tif 000014
【図１３】
2014061089.tif 000015
【図１４】
2014061089.tif 000016
【図１５】
2014061089.tif 000017
【図１６】
2014061089.tif 000018
【図１７】
2014061089.tif 000019
【図１８】
2014061089.tif 000020
【図１９】
2014061089.tif 000021